(57)【要約】ユーザ、顧客などに対して電子的に利用可能なユーザ固有の情報を作成する方法及びシステムが開示されている。このシステム及び該システムの根底にある方法を用いることにより、全てのユーザ及び／又は公衆に対して、ユーザ固有の情報をアクセス可能にすることができ、このやり方により、外部ユーザだけではなく、内部ユーザに対しても会社として１つの顔を作成することができる。
2004504669.tif 000002
【特許請求の範囲】
【請求項１】
サプライヤが、どのユーザの、ユーザ固有の情報のどの部分がアクセス可能であるかを決定して、該サプライヤにより前記ユーザ固有の情報を作成するステップと、
前記サプライヤにより前記ユーザ固有の情報を更新するステップと、
前記ユーザ固有の情報を要求するユーザに対して、前記ユーザ固有の情報（の一部）をアクセス可能にするステップと
を有するユーザ固有の情報を電子的に利用可能にする方法。
【請求項２】
前記ユーザ固有の情報が、インターネットサイト上においてアクセス可能である請求項１記載の方法。
【請求項３】
前記ユーザ固有の情報が、２つ又はそれ以上のリンクしているインターネットサイトを介してアクセス可能である請求項１記載の方法。
【請求項４】
前記サプライヤが、前記ユーザ固有の情報を、前記サプライヤと同じ会社の所定のユーザに対して完全にアクセス可能にし、他の会社のユーザに対して部分的にアクセス可能にする請求項１記載の方法。
【請求項５】
ユーザ固有の情報を作成する手段と、
どのユーザの、前記ユーザ固有の情報のどの部分がアクセス可能であるかが決定される手段と、
前記ユーザ固有の情報を更新する手段と、
システムのユーザと通信する通信手段と、
前記ユーザ固有の情報（の一部）に、ユーザアクセス権を与えるアクセス手段と
を有するアクセス可能な、ユーザ固有の情報を電子的に作成するシステム。
【発明の詳細な説明】
【０００１】
【発明の属する技術分野】
本発明は、電子的にアクセス可能な、ユーザ固有の情報を作成する方法に関する。
【０００２】
本発明は、また、アクセス可能な、ユーザ固有の情報を電子的に作成するシステムに関する。
【０００３】
【従来の技術】
電子的にアクセス可能な、ユーザ固有の情報を作成する方法及びシステムは、従来から知られている。
【０００４】
【発明が解決しようとする課題】
既知の方法／システムの不利な点の１つは、ユーザが、例えば、多数の異なる人と接触したり、呼び出したり、又は検索したりすることなく、自分の受け取りたい情報を得ることが相対的に難しいことである。
【０００５】
本発明の目的の１つは、上記従来の不利な点を克服する方法及びシステムを提供することにある。
【０００６】
【課題を解決するための手段】
この目的のため、本発明の第１の観点は、請求項１の特徴を有する方法を提供する。
【０００７】
本発明の第２の観点は、請求項５の特徴を有するシステムを提供する。
【０００８】
上述したシステム及びこのシステムの根底にある方法を用いることにより、全てのユーザ及び／又は公衆に対して、ユーザ固有の情報をアクセス可能にすることができ、このやり方により、外部ユーザだけではなく、内部ユーザに対しても会社として１つの顔（ｆａｃｅ）を作成することができる。
【０００９】
また、ユーザ固有の情報が会社の内部においても利用可能である「１つの場所」を作成することによって、全ての情報は、従来技術のシステムにより行うよりも非常に容易にアクセス可能である。
【００１０】
更に、全ての「内部」ユーザが、どの情報が既に利用可能であるかを見ることができるため、二重の公開及び二重の他の動作が、最低限まで減少する。
【００１１】
本発明の各態様は、従属請求項に記載されている。
【００１２】
本発明の特徴及び本発明を効果的に実現するために任意に用いられ得るその他の特徴は、以下に説明する例及び図に示した例から明らかであり、これらを参照して理解されるであろう。図は、アクセス可能な、ユーザ固有の情報を電子的に作成するシステムの一例を模式的に示している。
【００１３】
【発明の実施の形態】
図は、アクセス可能な、ユーザ固有の情報を電子的に作成するシステムを示している。
【００１４】
ユーザ固有の情報は、この例では、全てのユーザがアクセス可能である第１の部分Ｅ及び所定のユーザしかアクセスすることができない第２の部分Ｉの２つの部分に分割されている。該ユーザ固有の情報ＵＳｉは、例えば、インターネットサイト上に置くことも可能である。このようなユーザ固有の情報は、外部通信ネットワークＥＣＮを介してアクセス可能となり得る。
【００１５】
外部ユーザＵＥは、ユーザインターフェース入出力部ＵＩＯを介して上記外部通信ネットワークに接続可能であると共に、この外部通信ネットワークを介して外部のユーザ固有の情報Ｅにアクセスすることができる。
【００１６】
「内部」ユーザＵＩは、内部通信ネットワークＩＣＮ及び内部インターフェースＩＩＯと外部通信ネットワークＥＣＮとを介して、上記ユーザ固有の情報にアクセスすることができ、また、内部通信ネットワークＩＣＮを介して直接上記ユーザ固有の情報にアクセスすることもできる。このように、内部ユーザは、全てのユーザ固有の情報へのアクセス権を持つ。
【００１７】
サプライヤＳもまた、内部通信ネットワークＩＣＮを介して上記ユーザ固有の情報へのアクセス権を持っており、新しいユーザ固有の情報を追加したり、ユーザ固有の情報を修正したりすることも可能である。
【００１８】
勿論、サプライヤＳと内部ユーザＵＩとは、同一人物、又は、ユーザ／公衆が利用可能なユーザ固有の情報を作成する会社の同一部署であり得る。
【００１９】
上述したシステム及びこのシステムの根底にある方法を用いて、全てのユーザ及び／又はパブリック部に対してアクセス可能なユーザ固有の情報を作成することができ、このやり方では、外部ユーザだけではなく、内部ユーザに対しても１つの顔を会社のように作成することができる。
【００２０】
また、ユーザ固有の情報が会社の内部においても利用可能である「１つの場所」を作成することによって、全ての情報が、従来技術のシステムにより行うよりも非常に容易にアクセス可能である。
【００２１】
例えば、ユーザ固有の情報ＵＳｉがインターネットサイト上にある場合、このインターネットサイト上に、例えば、「内部」ユーザのみしか利用することができないより詳細な情報又は特権情報を伴う他のインターネットサイトへのリンクを作ることができる。また、異なるユーザ（内部又は外部）に異なるインターネットサイトへのリンクを使用する可能性を与えることも可能である。
【図面の簡単な説明】
【図１】アクセス可能な、ユーザ固有の情報を電子的に作成するシステムを示す図である。
【図１】
2004504669.tif 000003
【国際公開パンフレット】
2004504669.tif 000004
2004504669.tif 000005
2004504669.tif 000006
2004504669.tif 000007
2004504669.tif 000008
2004504669.tif 000009
【国際公開パンフレット（コレクトバージョン）】
2004504669.tif 000010
2004504669.tif 000011
【国際調査報告】
2004504669.tif 000012
2004504669.tif 000013
2004504669.tif 000014